(57)【特許請求の範囲】
【請求項１】
縦樋を通じて流下する雨水を収集し、雨水中に含まれる微細汚泥を沈殿させ、その上澄み水を配管で接続される地中タンクへと排出する分離マスを配した雨水利用システムであって、
平織りメッシュで平面視において縦樋よりも大径に形成され、地面近傍において地上に露出しているドーム構造のストレーナ蓋を有し、下部が地中に埋設される会所枡からなり、分離マスに該会所枡から伸びた配管で接続されるストレーナマスを備え、
該分離マスにおける該ストレーナマスからの配管口が該地中タンクへの配管口よりも下方に位置するようになされ、
縦樋を介して導かれる雨水を、該ストレーナ蓋中央頂部に落水させるとともに、該ストレーナ蓋を通過した微細な異物を、該分離マスにおいて沈殿させるようにした雨水利用システム。
【発明の詳細な説明】
【０００１】
【発明の属する技術分野】
本発明は、雨水を家庭用水に利用するシステムにおいて、雨水中の微細な汚泥や異物を除去する枡に関するもので、雨水を地中タンクへ導く前段階において使用される。
【０００２】
【従来の技術】
従来、雨水を家庭用水に利用したシステムにおける、雨水中の微細な汚泥や異物を除去する手段としては、地上に貯水タンクを配したシステムにおいては、該タンク底部に通じる配管途中に汚泥排出バルブを設け、手動でバルブを開き、汚泥沈殿物を該タンク底部の雨水とともに外へ排出していた。また、地上に貯水タンクを配さず、樋から流下した雨水を直接地中タンクに貯水するシステムにおいては、該地中タンク底部に沈殿した汚泥を定期的に汲み上げていた。
【０００３】
【発明が解決しょうとする課題】
地上に貯水タンクを配したシステムにおいては、バルブを開くことで、汚泥沈殿物の排出が可能である反面、貯水タンク自体が高価であり、また、貯水タンクを設置するスペースも必要である。また、樋から流下した雨水を直接地中タンクに貯水するシステムにおいては、幹線道路沿いなど、周囲の環境によっては、汚泥の溜りが早まることもあり、該地中タンク底部に沈殿した汚泥を汲み上げる重労働ともいえる作業が頻繁に必要となり、これらの問題を解決する手段の開発が望まれていた。
【０００４】
【課題を解決するための手段】
上記の課題を解決するために、本発明の分離マスを配した雨水利用システムは、縦樋を通じて流下する雨水を収集し、雨水中に含まれる微細汚泥を沈殿させ、その上澄み水を配管で接続される地中タンクへと排出する分離マスを配した雨水利用システムであって、平織りメッシュで平面視において縦樋よりも大径に形成され、地面近傍において地上に露出しているドーム構造のストレーナ蓋を有し、下部が地中に埋設される会所枡からなり、分離マスに該会所枡から伸びた配管で接続されるストレーナマスを備え、該分離マスにおける該ストレーナマスからの配管口が該地中タンクへの配管口よりも下方に位置するようになされ、縦樋を介して導かれる雨水を、該ストレーナ蓋中央頂部に落水させるとともに、該ストレーナ蓋を通過した微細な異物を、該分離マスにおいて沈殿させるようにしたことを要旨とする。
【０００５】
【発明の実施の形態】
本発明を構成する縦樋、ストレーナマス、分離マス、配管の素材は、貯溜雨水の水素イオン濃度（ＰＨ）が６前後の弱酸性であることを考慮して耐酸性を有し、また、耐衝撃性にも優れた合成樹脂等が適当であると考えられる。本発明は、建物に沿設された縦樋と、ステンレス性平織りメッシュのドーム構造のストレーナ蓋を有するストレーナマスと、分離マスから構成され、縦樋、ストレーナマス、分離マスはそれぞれ配管で結ばれている。尚、ストレーナマス本体は排出口を地中に設置すべく本体下部を埋設し、本体地上露出部はガードコンクリートにより保護されている。また、分離マスは蓋部が地面と面一になるように埋設される。本発明は、家屋に沿設された縦樋を流下した雨水が、一旦、ストレーナマスに導かれ、その際、木の葉などの大きな異物がストレーナ蓋により除去された後、分離マスへと流下する。分離マスにおいては、ストレーナ蓋を通過した微細な異物を沈殿させるとともに、その上澄み水を地中タンクへと導く。この時、なるべく微細な異物が地中タンクへ混入しないように、ストレーナマスからの配管口は、地中タンクへの配管口より下方に位置している。
【０００６】
【実施例】
［実施例１］
本実施例の分離マスを配した雨水利用システムを図１〜図３に基づいて説明する。図１は本発明の構成を示した説明図、図２は分離マスの断面図、図３はストレーナマスの正面図である。
【０００７】
図１、図２、図３において、（１）は縦樋、（２）はストレーナ蓋、（３）はストレーナマス、（４）はストレーナマスと分離マスを繋ぐ配管、（５）は分離マス、（６）は分離マスと地中タンクを繋ぐ配管、（７）は水封型蓋、（８）は配管（４）と分離マスとの連結口、（９）は配管（６）と分離マスとの連結口、（１０）（１１）（１３）（１４）は増結リング，（１２）は溜めマス、（１５）は会所枡、（１６）はガードコンクリートである。
【０００８】
本実施例のストレーナ蓋（２）は、錆びにくい、ステンレス性の平織りメッシュのドーム構造で、異物を除去した雨水を通し、光を遮りストレーナマス内の貯溜雨水に藻が発生するのを防ぐ。ストレーナマス（３）は、ポリエチレン樹脂を素材とし、雨水を貯溜する２段の増結リング（１３）（１４）、排出口を有する会所枡（１５）とからなる。増結リング間および増結リングと会所枡との繋ぎ目は、防水シーリングが施されている。ストレーナ蓋（２）の外径は３３０ｍｍ、ストレーナ蓋（２）から会所枡（１５）の下部までの全長は６８０ｍｍである。尚、ストレーナマス（３）本体はガードコンクリート（１６）で支持される。一方、分離マス（５）も、ポリエチレン樹脂を素材とし、水封型蓋（７）、汚泥が沈殿する溜めマス（１２）、連結口（８）を有する増結リング（１１）、連結口（９）を有する増結リング（１０）から構成される。分離マス本体は、略円筒状をなしており、蓋部の外径は４０６ｍｍ、底部から蓋部までの全長は１０６０ｍｍである。また、増結リング（１０）と増結リング（１１）との繋ぎ目、および増結リング（１１）と溜めマス（１２）との繋ぎ目は、防水シーリングが施され、水封型蓋（７）は、開閉可能である。また、配管（４）（６）は酸に強く、耐衝撃性に優れたＨＩＶＰ管とする。会所枡（１５）から伸びた配管（４）は、分離マスの増結リング（１１）に設けた連結口（８）に接続され、増結リング（１０）に設けた連結口（９）に地中タンクへの配管（６）が接続されている。
【０００９】
降水時、屋根面からの集雨が壁に沿設された縦樋（１）を介してストレーナマス（３）に導かれる際、呼び樋ガイドフレーム（図示せず）により、雨水がストレーナ蓋（２）中央頂部に落水し、木の葉など大きな異物は水圧で自然排出される。万一異物が残っても、滑落を促す形状をなすドーム構造と風により、乾燥時に自然除去される。ストレーナ蓋（２）を通過した微細な異物は配管（４）を通じて雨水とともに、分離マス（５）へと流下し、沈殿する。連結口（９）より上部に貯溜した上澄み水は、配管（６）を介して、地中タンク（図示せず）へと導かれ、その後、必要に応じて家庭用水として利用される。
【００１０】
本発明によるシステムを維持するため、分離マス（５）底部に沈殿した汚泥を、数ヶ月に一度ひしゃく等を用いて、あるいは溜めマス（１２）の内側に汚泥除去バスケットを設置して汲み出す必要があるが、ここでのメンテナンスが、より作業のしづらい地中タンクのメンテナンスを、より容易なものとしている。
【００１１】
【発明の効果】
以上説明したように、本発明の分離マスを配した雨水利用システムによれば、汚れの混じった降り始めの雨水を棄てる手間もなく、メンテナンスが容易となる。さらに高価な地中タンクの長寿命化にもつながる。
【図面の簡単な説明】
【図１】は本発明の構成を示した説明図
【図２】は分離マスの断面図
【図３】はストレーナマスの正面図
【符号の説明】
１ 縦樋
２ ストレーナ蓋
３ ストレーナマス
４ ストレーナマスと分離マスを繋ぐ配管
５ 分離マス
６ 分離マスと地中タンクを繋ぐ配管
７ 水封型蓋
８ 配管（４）と分離マスとの連結口
９ 配管（６）と分離マスとの連結口
１０ 増結リング
１１ 増結リング
１２ 溜めマス
１３ 増結リング
１４ 増結リング
１５ 会所枡
１６ ガードコンクリート
【図１】
0004093443.tif 000002
【図２】
0004093443.tif 000003
【図３】
0004093443.tif 000004